【手続補正書】
【提出日】平成20年9月19日(2008.9.19)
【手続補正１】
【補正対象書類名】明細書
【補正対象項目名】００２８
【補正方法】変更
【補正の内容】
【００２８】
整合すれば、交換は実行されていないので、ステップＳ３０７に進み、ＥＥＰＲＯＭ制御部８は、ＥＥＰＲＯＭ５から照合用のデータであるチェックサムを読み出す。ステップＳ３０８において、ＥＥＰＲＯＭ制御部８は、バックアップメモリ９に記憶されている参照データ（例：チェックサム）も読み出す。ステップＳ３０９において、ＥＥＰＲＯＭ制御部８は、読み出された双方のチェックサムを比較することで、両者が整合するか否かを判定する。整合すれば、双方のユニットデータも整合すると推定されるので、バックアップメモリ９のユニットデータを更新する必要はない。よって、ステップＳ３９５に進む。
【手続補正２】
【補正対象書類名】明細書
【補正対象項目名】００５３
【補正方法】変更
【補正の内容】
【００５３】
感光ドラム２８上の照射位置に相当する位置（照射相当位置）に、工具５００の冶具センサ５３０が配置される。ＣＰＵ５０１は、半導体レーザ４ａのみを発光させたときに冶具センサ５３０から出力される信号と、半導体レーザ４ｂのみを発光させたときの冶具センサ５３０から出力される信号との時間間隔を測定する。この測定結果が、ビーム位相データとなる。
【手続補正３】
【補正対象書類名】明細書
【補正対象項目名】００７１
【補正方法】変更
【補正の内容】
【００７１】
また、データユニットの正しさを判定する際には、データユニットよりもサイズの小さい照合データと参照データが使用されてもよい。照合データは、例えば、ＥＥＰＲＯＭ５から読み出されたチェックサムである。さらに、参照データは、例えば、バックアップメモリ９に記憶されているユニットデータから算出されたチェックサムである。よって、データユニットの全てについて整合性を判定する場合に比べて、通信時間と判定時間とを短くすることができる。また、通信時間を短くすることで、照合データのエラーを抑制できると考えられる。
【手続補正４】
【補正対象書類名】明細書
【補正対象項目名】００７２
【補正方法】変更
【補正の内容】
【００７２】
また、本実施形態によれば、照合データと参照データとが整合しなかった場合に、ＥＥＰＲＯＭ５からユニットデータを再度読み出して、バックアップメモリ９に記憶する。そして、バックアップメモリ９に記憶されたユニットデータから、再度、参照データが算出される。そして、算出され参照データと、読み出した照合データとが再度比較される。よって、バックアップメモリ９のユニットデータとＥＥＰＲＯＭ５のユニットデータとが整合しなくなると、バックアップメモリ９のユニットデータを更新することで、当該ユニットデータを正しいデータに維持できる。
【手続補正５】
【補正対象書類名】特許請求の範囲
【補正対象項目名】全文
【補正方法】変更
【補正の内容】
【特許請求の範囲】
【請求項１】
光学走査装置と画像形成装置とを含む画像形成システムであって、
前記光学走査装置は、
前記光学走査装置の個体ごとの特性に関するユニットデータを記憶する第１の記憶手段を含み、
前記画像形成装置は、
前記第１の記憶手段から読み出された前記ユニットデータを記憶する第２の記憶手段と、
複数の光学走査装置において共通に使用されるデフォルトの設定データを記憶する第３の記憶手段と、
前記第２の記憶手段に記憶されているユニットデータと、前記第１の記憶手段に記憶されているユニットデータとが整合しているか否かを判定する判定手段と、
前記ユニットデータらが整合している場合、前記第２の記憶手段から読み出されたユニットデータを用いて前記光学走査装置を制御し、一方で、前記ユニットデータらが整合していない場合、前記第３の記憶手段から読み出された設定データを用いて前記光学走査装置を制御する制御手段と
を含むことを特徴とする画像形成システム。
【請求項２】
前記判定手段は、
前記第１の記憶手段に記憶されているデータユニットから所定の演算により算出された、該データユニットよりもサイズの小さい照合データを前記第１の記憶手段から読み出す読出手段と、
前記第２の記憶手段に記憶されているデータユニットに前記所定の演算を施すことで参照データを算出する算出手段と、
前記照合データと前記参照データとを比較する比較手段と
を含むことを特徴とする請求項１に記載の画像形成システム。
【請求項３】
前記参照データと前記照合データはチェックサムであることを特徴とする請求項２に記載の画像形成システム。
【請求項４】
前記比較手段は、
前記照合データと前記参照データとが整合しなかった場合に、前記第１の記憶手段から前記ユニットデータを再度読み出して前記第２の記憶手段に記憶し、記憶されたユニットデータから前記参照データを算出し、算出した前記参照データと、前記照合データとを比較することを特徴とする請求項２または３に記載の画像形成システム。
【請求項５】
前記ユニットデータには、前記光学走査装置の認識データ、製造番号、前記光学走査装置に含まれる光源の光量補正値、主走査書き出し位置および印字倍率のうち少なくとも一つが含まれていることを特徴とする請求項１ないし４のいずれか１項に記載の画像形成システム。
【請求項６】
前記制御手段は、前記ユニットデータらが整合していない場合、前記第３の記憶手段から読み出した設定データを用いて前記光学走査装置を制御する代わりに、前記画像形成装置の動作を停止することを特徴とする請求項１ないし５のいずれか１項に記載の画像形成システム。
【請求項７】
前記第１の記憶手段に記憶されているデータユニットは、前記画像形成システムの電源投入時またはリセット時に読み出されて、前記第２の記憶手段に書き込まれることを特徴とする請求項１ないし６のいずれか１項に記載の画像形成システム。
【請求項８】
個体ごとの特性に関するユニットデータを記憶する第１の記憶手段を含む光学走査装置を搭載する画像形成装置であって、
前記第１の記憶手段から読み出された前記ユニットデータを記憶する第２の記憶手段と、
複数の光学走査装置において共通に使用されるデフォルトの設定データを記憶する第３の記憶手段と、
前記第２の記憶手段に記憶されているユニットデータと、前記第１の記憶手段に記憶されているユニットデータとが整合しているか否かを判定する判定手段と、
前記ユニットデータらが整合している場合、前記第２の記憶手段から読み出したユニットデータを用いて前記光学走査装置を制御し、一方で、前記ユニットデータらが整合していない場合、前記第３の記憶手段から読み出した設定データを用いて前記光学走査装置を制御する制御手段と
を含むことを特徴とする画像形成装置。
【請求項９】
光学走査装置を搭載する画像形成装置の制御方法であって、
前記光学走査装置の個体ごとの特性に関するユニットデータを記憶する、前記光学走査装置が備える第１の記憶手段から前記ユニットデータを読み出すステップと、
読み出された前記ユニットデータを、前記画像形成装置が備える第２の記憶手段に書き込むステップと、
前記第２の記憶手段に記憶されているユニットデータと、前記第１の記憶手段に記憶されているユニットデータとが整合しているか否かを判定するステップと、
前記ユニットデータらが整合している場合、前記第２の記憶手段から読み出したユニットデータを用いて前記光学走査装置を制御し、一方で、前記ユニットデータらが整合していない場合、複数の光学走査装置において共通に使用されるデフォルトの設定データを記憶する、前記画像形成装置が備える第３の記憶手段から読み出した設定データを用いて前記光学走査装置を制御するステップと
を含むことを特徴とする制御方法。